(57)【特許請求の範囲】
【請求項１】
記録媒体に対し情報を記録する方法において、
前記記録媒体に対してファイナライズ処理を行う際に、  前記記録媒体上で情報が記録される領域であるユーザデータエリアに記録されている情報の量が、所定値以上か否かを判定する判定ステップと、
前記情報の量が前記所定値を満たない場合には、前記情報の量を前記所定値以上にするために、前記記録された領域に続いてダミー情報を記録するパディングステップと、
前記パディングステップを中断した場合には、記録の途中のダミー情報をファイルとして管理するための管理情報を前記ユーザデータエリアに記録するステップとを有することを特徴とする情報記録方法。
【請求項２】
書換え可能な記録媒体において、前記中断したパディングステップを再開した場合には、更新されたダミー情報を管理する管理情報を、前記中断した場合に記録された管理情報に上書きするステップとを有することを特徴とする請求項１に記載の情報記録方法。
【請求項３】
追記可能な記録媒体において、前記中断したパディングステップを再開した場合には、更新されたダミー情報を管理する管理情報を、前記中断した場合に記録された管理情報とは別の前記ユーザデータエリアの未記録領域に記録するステップとを有することを特徴とする請求項１に記載の情報記録方法。
【発明の詳細な説明】
【技術分野】
【０００１】
本発明は、記録媒体に情報を記録する方法に関し、特に再生機器での互換性確保のために、情報記録後ファイナライズ処理を行う必要がある記録媒体への記録方法に関する。
【背景技術】
【０００２】
ファイナライズ処理が必要な記録フォーマットとして、ＤＶＤ−Ｒ  （Ｄｉｇｉｔａｌ  Ｖｅｒｓａｔｉｌｅ  Ｄｉｓｃ  Ｒｅｃｏｒｄａｂｌｅ）  フォーマットがある。他にも、ＤＶＤ−ＲＷ  （Ｄｉｇｉｔａｌ  Ｖｅｒｓａｔｉｌｅ  Ｄｉｓｃ  ＲｅＷｒｉｔａｂｌｅ）  フォーマットなどが知られている。これらのフォーマットに対応した光ディスクに情報を記録する場合、ＤＶＤ−Ｖｉｄｅｏ  （Ｄｉｇｉｔａｌ  Ｖｅｒｓａｔｉｌｅ  Ｄｉｓｃ  Ｖｉｄｅｏ）  フォーマットに対応した再生機器において再生できることを保証する必要がある。そのために、ディスクに対してファイナライズ処理を行い、再生互換を取る。ファイナライズ処理は、光ディスクのユーザデータエリアの内周と外周のそれぞれに、リードインエリア、リードアウトエリアが配置されたデータ構成とする処理である。これは、ＤＶＤ−Ｖｉｄｅｏ再生機器において記録ディスクを再生可能にするために必要な処理である。
【０００３】
なお、ここで言うファイナライズ処理は、フォーマット時に予めリードインエリアを配置し、その後ユーザデータエリア内に情報を記録した後にリードアウトエリアを配置する処理でもよい。更に、ユーザデータエリア内に情報を記録した後に、リードインエリア及びリードアウトエリアを配置する処理であっても良い。
【０００４】
また、ＤＶＤ−Ｖｉｄｅｏフォーマット規格では、ディスク内周の直径７０ｍｍの領域は何らかの情報が記録されている必要があり、その領域は情報量に換算すると、約１ＧＢになる。通常、図３（ａ）に示すように、ファイナライズ処理開始時に、記録情報が１ＧＢ未満の場合には、図３（ｂ）のように、リードアウトエリアを長く記録し、上記規格を満たす処理が行われる。しかし、リードアウトエリアの記録中には記録動作が中断できないために、ユーザはリードアウトエリアの記録処理が終了するまで待たなければならない。
【０００５】
上記問題に対し、特許文献１では、記録情報量が規定値に満たない場合には、図１１のように、通常の記録情報ファイルの末尾にダミー情報（例えば、ゼロデータなど）を付加して規定値以上の情報を記録し、ファイナライズ処理する方法が提案されている。図中（ａ）は、このダミー情報をファイルとしては管理しない方法、（ｂ）は通常の記録情報とダミー情報を合わせて一つのファイルとして管理する方法である。記録された情報がファイルか否かは、その情報をファイルとして管理する管理情報が記録されているか否かの差で、図中の管理情報から伸びている実線の矢印はその管理情報が管理しているファイルを表している。つまり、図中（ａ）のダミー情報は、それをファイルとして管理する管理情報が記録されていないため、ファイルではない。以上のようなダミー情報の記録をパディングと呼ぶ。この方法では、リードアウトエリアを長く記録しなくても良いため、ファイルに付加するダミー情報を記録している間は、記録処理を中断することができる。
【特許文献１】特開２００５−０５０４４４号公報
【発明の開示】
【発明が解決しようとする課題】
【０００６】
しかしながら、特許文献１で開示されている方法では、ダミー情報そのものをファイルとして管理していない。そのため、単にユーザが途中まで情報を記録した未ファイナライズ状態のディスクなのか、ファイナライズ処理を中断した状態のディスクなのかは、特殊なフラグを記録したり、管理情報を解析しないと判別できない。
【０００７】
本発明の目的は、ファイナライズ処理の中断を実現し、かつ、特別な処理を行うことなく、そのディスクがファイナライズ処理を中断したディスクか否かを判断可能な情報記録方法を提案することである。
【課題を解決するための手段】
【０００８】
上述した課題を解決するために、本発明における情報記録方法は、記録媒体に対し情報を記録する方法において、前記記録媒体のユーザデータエリアに記録された情報に対してファイナライズ処理を行う際に、前記ユーザデータエリアに記録されている情報の量が、所定値以上か否かを判定する判定ステップと、前記情報の量が前記所定値を満たない場合には、前記情報の量を前記所定値以上にするために、前記記録された領域に続いてダミー情報を記録するパディングステップと、前記ダミー情報をファイルとして管理するための管理情報を前記ユーザデータエリアに記録するステップとを有する情報記録方法。
【発明の効果】
【０００９】
本発明によれば、ファイナライズ処理の中断を実現し、かつ、特別な処理を行うことなく、そのディスクがファイナライズ処理を中断したディスクか否かの判別が可能となる。さらに、ファイナライズ処理を中断したあとに、同じディスクに通常のファイルを記録することも可能である。
【発明を実施するための最良の形態】
【００１０】
以下、本発明の一実施形態について、図面を用いて説明する。
【００１１】
図８は、本発明の情報記録方法を実現可能な記録再生装置の構成の一例を示すブロック図である。図中、１はＤＶＤ−ＲやＤＶＤ−ＲＷなどの情報の記録再生が可能な記録媒体である。２は記録または再生を行う記録再生ヘッドである。３は記録媒体２を回転させるディスクモータである。４は前記記録再生ヘッドの位置制御を行う記録再生ヘッド制御部である。５は前記記録再生ヘッドによって再生された信号の復調と該記録再生ヘッドで記録するための変調を行う信号処理部である。６は本発明で提案している情報記録方法に基づいて、ディスクモータ３、記録再生ヘッド制御部４、信号処理部５を制御する装置制御部である。
【００１２】
続いて本発明の実施形態を詳細に説明する。図１はＤＶＤ−ＲＷなどの書換可能型ディスクにおいて、本発明の情報記録方法を適用した際の一実施例を示すものである。ＤＶＤディスクに記録されたファイルを管理するファイル管理フォーマットとしては、ＵＤＦ  （Ｕｎｉｖｅｒｓａｌ  Ｄｉｓｋ  Ｆｏｒｍａｔ）規格が使用されている。図１中のＦｉｌｅ  Ｅｎｔｒｙ  （以降、ＦＥと表記する。）は、このＵＤＦ規格においてファイルの開始アドレスとファイルサイズを管理するための管理情報である。つまり、ＦＥによって実ファイルが記録されているディスク内の領域を把握することができるようになっている。なお、冒頭でも述べたが、ファイナライズ処理とは、光ディスクのユーザデータエリアよりも内周と外周のそれぞれに、リードインエリア、リードアウトエリアが配置されたデータ構成とする処理である。これは、ＤＶＤ−Ｖｉｄｅｏ再生機器において記録ディスクを再生可能にするために必要な処理である。
【００１３】
なお、ここで言うファイナライズ処理は、フォーマット時に予めリードインエリアを配置し、その後ユーザデータエリア内に情報を記録した後にリードアウトエリアを配置する処理でもよい。更に、ユーザデータエリア内に情報を記録した後に、リードインエリア及びリードアウトエリアを配置する処理であっても良い。
【００１４】
図１中のＦＥから伸びている実線で示された矢印は、そのＦＥが指し示しているファイルを表している。書換可能型ディスクにおいて、図１（ａ）のように記録された情報の量が所定値（例えば、１ＧＢ）に満たないと判定された状態でユーザからファイナライズ処理の指示があった場合、記録情報の後に続けてダミー情報（ゼロデータ）が記録されていく。ダミー情報の記録中にユーザから中断の指示があった場合には、（ｂ）のようにその時点で既に記録したダミー情報の開始アドレスとサイズを示す管理情報であるＦＥを作成し、ユーザデータエリアの未記録領域に記録する。処理中断後に、再度ユーザからファイナライズ処理再開の指示があった場合には、記録済み領域の最終アドレスに続けてダミー情報の記録を再開する。この際、記録済み領域の最終アドレスはＤＶＤの物理規格における管理情報によって管理されているため、そちらを参照して最終アドレスを得る。処理の再開後に再びユーザから中断の指示があった場合には、（ｃ）のように更新されたダミー情報のＦＥを作成し、古いダミー情報のＦＥの記録領域に上書きする。以降、ユーザによってファイナライズ処理の再開、中断が指示される毎に、同様の処理でダミー情報のＦＥを随時上書きし、更新していく。最終的にダミー情報が、（ｄ）のようにディスクの内周７０ｍｍに達するまで記録されたら、更新されたダミー情報のＦＥを同様に上書きし、最後に（ｅ）のようにリードイン、リードアウトを記録してファイナライズ処理を完了する。また、ダミー情報はファイル名を通常の記録情報のファイル名とは異なる特殊なものにすることで他のファイルと区別する。
【００１５】
次に、ＤＶＤ−Ｒなどの追記可能型ディスクにおける本発明の一実施例を説明する。追記可能型ディスクにおいては上書きができないため、ＵＤＦの機能の一つであるＶｉｒｔｕａｌ  Ａｌｌｏｃａｔｉｏｎ  Ｔａｂｌｅ  （以降、ＶＡＴと表記）  を用いてダミー情報のＦＥの更新処理を行う。ＶＡＴは、古い管理情報のアドレスを新しい管理情報のアドレスに読み替えるためのアドレス置換テーブルである。より詳細に述べると、ＦＥ内に記録されている仮想アドレスをＶＡＴ内に記録された論理アドレスに置換し、古い管理情報を新しい管理情報に読み替えることで擬似的な上書きを実現するのである。ここで、追記可能型ディスクにおける処理の説明を行う前に、まずはＶＡＴを使用した擬似的上書き処理に関する説明を行う。図６は、ＶＡＴを使用したファイルの上書き処理を説明する図である。ＶＡＴを使用する際には、記録済み領域の最終アドレスにＶＡＴ  ＩＣＢ  （Ｉｎｆｏｒｍａｔｉｏｎ  Ｃｏｎｔｒｏｌ  Ｂｌｏｃｋ）  と呼ばれるＶＡＴ本体の位置とサイズをパラメータとして持つ管理情報が記録される。名称は異なるが、ＶＡＴ  ＩＣＢはＦＥと同じ構造である。ＶＡＴ本体は、通常ＶＡＴ  ＩＣＢの直前に記録されるが、ＶＡＴ  ＩＣＢによって記録位置とサイズが管理されているので、ディスクの未記録領域であれば記録領域は特に制限されるものではない。また、ＶＡＴ  ＩＣＢが記録される記録済み領域の最終アドレスはＤＶＤ−ＲＷと同様、ＤＶＤの物理規格における管理情報によって管理されているため、そちらを参照してＶＡＴ  ＩＣＢの位置を得ることができる。
【００１６】
図６（ａ）において、ファイルＡにアクセスするには、まず、図中１番左のＦＥを参照する。このＦＥは、ファイルＡが存在するディレクトリを指し示している。ＵＤＦにおけるディレクトリはＦｉｌｅ  Ｉｄｅｎｔｉｆｉｅｒ  Ｄｅｓｃｒｉｐｔｏｒ（以降、ＦＩＤと表記）という管理情報で表現され、ＦＩＤはその下に存在するディレクトリ及びファイルの名前とそれらの位置を指すＦＥの場所を管理している。今、ＦＩＤは論理アドレスｋに記録されていて、それを指しているＦＥは仮想アドレスｍでＦＩＤを管理しているとする。このＦＥを参照すると、ＦＩＤの位置が仮想アドレスｍで記録されていることが分かるので、最終アドレスに記録されているＶＡＴ  ＩＣＢにアクセスする。ここで、ＦＩＤの位置が仮想アドレスと論理アドレスのどちらで記録されているかは、ＦＥ内のパラメータＰａｒｔｉｔｉｏｎ  Ｒｅｆｅｒｅｎｃｅ  Ｎｕｍｂｅｒによって判別することができるようになっている。次に、ＶＡＴ  ＩＣＢはＶＡＴを指しているので、ＶＡＴにアクセスする。そして、ＶＡＴによって仮想アドレスｍが論理アドレスｋに変換される。得られた論理アドレスｋにより、ＦＩＤにアクセス可能となり、そのＦＩＤからファイルＡの管理情報であるＦＥ、ファイルＡと順次アクセスすることができるようになる。
【００１７】
この状態で、ファイルＡが更新された場合には、（ｂ）のように更新されたファイルＡ（図中の新ファイルＡ）と、それを管理する新たなＦＩＤ、ＦＥが別領域に記録される（ここで、新たなＦＩＤは論理アドレスｋ＋１に記録されたものとする）。併せて、新たなＶＡＴとＶＡＴ  ＩＣＢも記録される。新ファイルＡにアクセスするには、（ａ）の場合と同様、ＦＩＤを指すＦＥ（図中（ｂ）の１番左のＦＥ）にまずアクセスする。ＦＥはＦＩＤを仮想アドレスｍを使用して指し示しているので、新たに記録されたＶＡＴにＶＡＴ  ＩＣＢを介してアクセスする。新たなＶＡＴは、仮想アドレスｍを論理アドレスｋ＋１に変換するように記録されているので、論理アドレスｋ＋１に存在するＦＩＤより、新ファイルＡの管理情報であるＦＥ、新ファイルＡと順にアクセスすることができるようになる。
【００１８】
実際のＶＡＴ内のパラメータ構造は、図７のようになっている。ＶＡＴ内のパラメータの内、置換後の論理アドレスが格納されるパラメータは、オフセットが１５２＋Ｌ＿ＩＵから始まるＶＡＴ  Ｅｎｔｒｙと呼ばれるものである。このＶＡＴ  Ｅｎｔｒｙには０から始まるエントリー番号が割り当てられており、ＦＥ内などで記録される仮想アドレスはこのエントリー番号に相当するものである。つまり、仮想アドレスと同じ値のエントリー番号のＶＡＴ  Ｅｎｔｒｙを検索し、対応するＶＡＴ  Ｅｎｔｒｙのアドレスに読み替えてアクセスを行う。今の場合、ＦＥの仮想アドレスｍと同じエントリー番号のＶＡＴ  Ｅｎｔｒｙ  ｍ（図中の網掛けした部分）に、（ａ）の例ではｋ、（ｂ）の例ではｋ＋１が登録されている形になる。追記可能型のＤＶＤ−Ｒディスクなどにおいて既に記録済みのファイルなどを更新する際には、以上のようにしてＶＡＴを用いた擬似的上書き処理が行われる。
【００１９】
このＶＡＴを用いて、本発明におけるダミー情報更新処理を示したものが、図２である。ここでは直接ダミー情報を指すＦＥのみを追記する形になっているが、実際には上記で説明したように、ＦＩＤも追記され、ＦＩＤを経由してＦＥにアクセスする形になる。追記可能型ディスクにおいて、図２（ａ）のように、記録情報が１ＧＢに満たない状態でユーザからファイナライズ処理の指示があった場合、記録情報の後に続けてダミー情報が記録されていく。ダミー情報の記録中にユーザから中断の指示があった場合には、（ｂ）のようにその時点で既に記録したダミー情報の開始アドレスとサイズを示すＦＥを作成し、ユーザデータエリアの未記録領域に記録する。さらに、ＶＡＴと最終アドレスにＶＡＴ  ＩＣＢを記録し、処理を中断する。処理中断後に、再度ユーザからファイナライズ処理再開の指示があった場合には、記録済み領域の最終アドレスに記録されているＶＡＴ  ＩＣＢに続けて、ダミー情報の記録を再開する。処理の再開後に再びユーザから中断の指示があった場合には、（ｃ）のように更新されたダミー情報のＦＥを作成し、古いダミー情報のＦＥとは別の未記録領域に更新されたダミー情報のＦＥが記録される。併せて、新たなＶＡＴとＶＡＴ  ＩＣＢも記録され、新たなＶＡＴによって更新後のダミー情報のＦＥにアクセスできるようにする。ここでは、更新後のダミー情報のＦＥは（ｂ）で既に記録されていたダミー情報と新たに記録されたダミー情報を全て含めて、分断記録された一つのファイルとして管理する。分断記録されたファイルの管理方法の詳細に関しては、後述する。
【００２０】
以降、ユーザによってファイナライズ処理の再開、中断が指示される毎に、同様の処理でダミー情報のＦＥ、ＶＡＴ、ＶＡＴ  ＩＣＢを随時別領域に記録していき、最新のダミー情報のＦＥにＶＡＴを使用してアクセスできるように更新していく。最終的にダミー情報が、（ｄ）のようにディスクの内周７０ｍｍに達するまで記録されたら、更新されたダミー情報のＦＥを同様に別領域に記録し、最新のＶＡＴ、ＶＡＴ  ＩＣＢを記録する。最後に（ｅ）のようにリードイン、リードアウトを記録してファイナライズ処理を完了する。
【００２１】
ここで、分断記録されたファイルの管理方法について述べておく。ＵＤＦファイルフォーマットにおけるファイルアクセス時には、ＦＥ内のパラメータの一つであるＡｌｌｏｃａｔｉｏｎ  Ｄｅｓｃｒｉｐｔｏｒ（以降、ＡＤと表記）を参照してファイルアクセスが行われる。このＡＤには、ファイルの開始位置を示すアドレスと、ファイルサイズが登録されている。ＦＥには、一つのファイルがディスク上で分断記録されたときのために、このＡＤを複数登録することができるようになっており、ファイルが分断記録された場合には、複数のＡＤによってファイル管理を行う。図１０はＵＤＦファイルフォーマットを用いて、分断記録されたファイルをＡＤで管理する際の方法を説明する図である。今、図のように５ブロックにまたがるサイズ  ￥（１６０，０００［Ｂｙｔｅ］）のファイル（Ｆｉｌｅ．Ａ）をアドレスＡｄｄｒ  １より記録することを考える。記録済みブロック  ￥（図中の斜線領域）  ￥があり、Ａｄｄｒ  １から連続した５ブロックを確保することができないため、Ｆｉｌｅ  Ａは記録済みブロックを飛ばして、図中の１〜５番ブロックに分断記録される。この場合におけるＡＤを表したものが図中右側の表である。ＡＤにはまず１番のブロックの開始論理アドレス（Ａｄｄｒ  １）と連続して記録できたサイズがバイト数で登録される。ＤＶＤにおける一つのブロックサイズは３２，７６８［Ｂｙｔｅ］なので、２ブロックで６５，５３６［Ｂｙｔｅ］がサイズとして登録される。次に、３番のブロックの開始論理アドレス（Ａｄｄｒ  ２）とファイルの残りサイズ（１６０，０００−６５，５３６＝９４，４６４［Ｂｙｔｅ］）が登録される。この例のように、ＡＤの最終列のサイズは、ファイルサイズがブロックサイズの倍数でない場合は残りのファイルサイズが記録される。ファイルアクセス時には、このＡＤの順番でアクセスを行う形になる。
【００２２】
次に、本発明のファイナライズ処理の流れを図４に示したフローチャートを用いて説明する。ユーザからファイナライズの指示があった場合、まずは記録済みの情報の量が所定値以上か否か（ここでは、１ＧＢ以上か、或いは１ＧＢ未満か）を判定する（Ｓ１）。記録済み情報が１ＧＢ以上の場合には、リードイン、リードアウトを記録し（Ｓ９）、ファイナライズ処理を終了する。Ｓ１で、記録済み情報が１ＧＢ未満だった場合には、記録済み情報と合わせて１ＧＢ以上となるダミー情報を生成し（Ｓ２）、ダミー情報の記録を開始する（Ｓ３）。ダミー情報記録中に、ユーザから中断指示があった場合（Ｓ４）、管理情報の記録処理を行い（Ｓ５）、処理を終了する。ここでの管理情報記録処理の詳細に関しては後述する。ファイナライズ処理中断後に、ユーザからファイナライズ処理再開の指示があった場合には、このフローチャートの最初から処理を行う。以降も、ユーザからのファイナライズ処理の中断、再開の指示がある毎に記録処理の中断、再開を行い、ダミー情報の記録処理を終了させる（Ｓ７）。そうしたら、最新のダミー情報の管理情報を記録し（Ｓ８）、リードイン、リードアウトを記録した上で（Ｓ９）、ファイナライズ処理を終了する。
【００２３】
続いて、図４中の二重線で囲った管理情報記録処理に関して、図５のフローチャートを用いて説明する。まず、Ｓ４１ではファイナライズ中のディスクが書換可能型か追記可能型かを調べる。追記可能型であれば、ダミー情報の管理情報を未記録領域に記録し（Ｓ４５）、ＶＡＴとＶＡＴ  ＩＣＢを未記録領域に記録し（Ｓ４６）、管理情報記録処理を終了する。Ｓ４１で書換可能型であった場合は、過去に記録されたダミー情報の管理情報が存在するかどうかを調べる（Ｓ４２）。ダミー情報の管理情報がなければ、ダミー情報を管理する管理情報をディスクの未記録領域に記録し（Ｓ４４）、管理情報記録処理を終了する。また、Ｓ４２において、過去に記録されたダミー情報の管理情報があると判断すると、次のステップで、過去に記録されたダミー情報の管理情報を新たな管理情報で上書きし（Ｓ４３）、管理情報記録処理を終了する。
【００２４】
以上で説明したような記録装置の構成、記録方法により、例えばファイナライズ処理の途中で同じディスクに新たな情報を記録したい場合に、ファイナライズ処理を中断し、そのディスクに情報を記録することができる。また、ファイナライズ処理を中断し、他のディスクに交換して情報を記録し、後でファイナライズ途中のディスクのファイナライズ処理を再開することも可能である。図９は、書換可能型記録媒体において、ファイナライズ処理を中断して、新たに情報を記録する方法を説明する図である。これまでの説明と同様、（ａ）のように記録情報のサイズがディスクの内周７０ｍｍに満たない状態で、ファイナライズ指示があった場合には、記録済みの最終アドレスに続けて、ダミー情報が記録されていく。ここで、ユーザからファイナライズ処理中断の指示を受けると（ｂ）のように、記録したダミー情報の管理情報を記録して、ファイナライズ処理を中断する。ファイナライズ処理中断後に、ユーザから新たな情報の記録指示があった際には、（ｃ）のように記録済みの最終アドレスに続けて、新たな情報を記録し、これを管理するＦＥを未記録領域に記録する。再度、ユーザからファイナライズ処理を指示された場合には、記録済みの最終アドレスに続けて、再びダミー情報の記録が行われる。ただし、（ｃ）の状態で既に内周７０ｍｍの領域まで情報が記録されている場合には、以降のダミー情報の記録は行わずに、リードイン、リードアウトを記録してファイナライズ処理を終了する。最終的に（ｄ）のようにダミー情報がディスクの内周７０ｍｍに達したら、（ｅ）のようにリードイン、リードアウトを記録してファイナライズ処理を終了する。以上の説明では、ファイナライズ処理の中断と新たな情報の記録は１回のみであるが、当然ディスクの記録領域が許す限り、ファイナライズ処理の中断と新たな情報の記録を何度行っても良い。さらに、追記可能型ディスクに関しても、同様の処理でファイナライズ処理を中断して、新たな情報を追記することが可能である。
【００２５】
本発明は、上述した一実施形態に限定されるものではなく、要旨を逸しない範囲で様々な応用が可能である。例えば、上述した説明では、管理情報の更新処理をＶＡＴを用いて行うようにしているが、ＵＤＦのリビジョン２．６０から採用されているＬｏｇｉｃａｌ  Ｏｖｅｒｗｒｉｔｅを使用して更新処理を行っても良い。例えば、通常の記録情報ファイルとダミー情報ファイルを、ファイル名ではなく、ファイル属性などを工夫することによって区別しても良い。具体的には、ダミー情報ファイルのＦＩＤのＦｉｌｅ  Ｃｈａｒａｃｔｅｒｉｓｔｉｃｓ、ＦＥのＦｉｌｅ  Ｔｙｐｅなどのパラメータを通常のファイルとは異なるもの（例えば、隠しファイル属性）にして区別することが考えられる。他にも、ダミー情報ファイル専用のディレクトリを作成し、そのディレクトリ下にダミー情報ファイルを記録することで他ファイルと区別することも可能である。また、ダミー情報をファイルとして管理していることにより、その他のデータとも区別がつくため、必ずしもゼロデータである必要はなく、その他のデータを使用してパディングを行っても良い。さらに、追記可能型ディスクでの実施形態においては、古いダミー情報と新たなダミー情報をまとめて一つのファイルとして管理しているが、新たなダミー情報のみをファイルとして管理し、古いダミー情報は削除ファイルとして扱っても良い。またさらに、全てのダミー情報をまとめて一つのファイルとして管理するのではなく、ファイナライズ処理の中断がある毎に、ダミー情報のファイルを増やしていき、複数のダミー情報ファイルを作成しても良い。ダミー情報を複数ファイルで管理する場合には、既に記録されたダミー情報ファイルの管理情報は更新されずに、新たなダミー情報ファイルの管理情報が記録されることになる。
【図面の簡単な説明】
【００２６】
【図１】書換可能な記録媒体における本発明の情報記録方法を説明する図である。
【図２】追記可能な記録媒体における本発明の情報記録方法を説明する図である。
【図３】従来のファイナライズ処理方法を説明する図である。
【図４】本発明の処理の流れを説明するフローチャートである。
【図５】本発明の管理情報記録処理の流れを説明するフローチャートである。
【図６】ＶＡＴを用いた擬似的上書きを説明する図である。
【図７】ＶＡＴの構造を説明する図である。
【図８】本発明を実現するための情報記録装置の構成を説明する図である。
【図９】ファイナライズ処理中断後に通常ファイルを記録する方法を説明する図である。
【図１０】分断して記録されたファイルのアドレス管理方法を説明する図である。
【図１１】従来のパディング方法を説明する図である。
【符号の説明】
【００２７】
１  記録媒体
２  記録再生ヘッド
３  ディスクモータ
４  記録再生ヘッド制御部
５  信号処理部
６  装置制御部
【図１】
0004823249.tif 000002
【図２】
0004823249.tif 000003
【図３】
0004823249.tif 000004
【図４】
0004823249.tif 000005
【図５】
0004823249.tif 000006
【図６】
0004823249.tif 000007
【図７】
0004823249.tif 000008
【図８】
0004823249.tif 000009
【図９】
0004823249.tif 000010
【図１０】
0004823249.tif 000011
【図１１】
0004823249.tif 000012